(57)【要約】【課題】安価で簡単な装置により、向きを揃えてＰＴＰ包装等をすることができ、種々の識別にも適用可能なカプセルを提供する。【解決手段】有底筒状の一対の収容部材１２，１４が設けられ、互いの開口部を対向させて嵌合し、内側に内服薬が収容される。一対の収容部材１２，１４の、一方の収容部材１２の端部には、収容部材１２の筒体の中心軸に対して交差する平底部１８が形成され、他方の収容部材１４の端部は外側に膨らむ湾曲面である。または、他方の収容部材１４の底部には、収容部材１４の筒体の中心軸に対して斜めに交差する平面部３０が形成されている。【選択図】        図１
2004203796.tif 000002
【特許請求の範囲】
【請求項１】
有底筒状の一対の収容部材が設けられ互いの開口部を対向させて嵌合し内側に内服薬が収容されるカプセルにおいて、上記一対の収容部材の底部である各端部付近が互いに異なる形状であることを特徴とするカプセル。
【請求項２】
上記一対の収容部材の、一方の収容部材の端部には上記収容部材の筒体の中心軸に対して交差する平面が形成され、他方の収容部材の端部は外側に膨らむ湾曲面であることを特徴とする請求項１記載のカプセル。
【請求項３】
上記一方の収容部材の端部には上記収容部材の筒体の中心軸に対してほぼ直交する平面が形成され、上記他方の収容部材の底面には上記収容部材の筒体の中心軸に対して斜めに交差する平面が形成されていることを特徴とする請求項２記載のカプセル。
【請求項４】
有底筒状の一対の収容部材が設けられ互いの開口部を対向させて嵌合し内側に内服薬が収容されるカプセルにおいて、上記一対の収容部材の端部の少なくとも一方には、上記収容部材の筒体の中心軸に対してほぼ直交する平面が形成されていることを特徴とするカプセル。
【請求項５】
上記一対の収容部材の、少なくとも一方の収容部材の端部には、小形の突起部が形成されていることを特徴とする請求項１，２，３または４記載のカプセル。
【発明の詳細な説明】
【０００１】
【発明の属する技術分野】
この発明は、内服薬が収容された状態で飲用し、消化器の中で溶解するカプセルに関する。
【０００２】
【従来の技術】
従来、薬剤の包装形態の一つとして、顆粒や粉末、液体の内服薬を一回分の服用量ごとに包み、飲み込むと消化器の中で溶けるカプセルがあった。このカプセルは、動物性や植物性の材料で作られ、適度な弾力性を有し消化器の中で適した経過時間後に溶解するものである。カプセルの側面部は円筒形であり、両端部は外側に膨らむ半球状に形成されている。このカプセルは、側面部の長手方向の中央付近で分割され、一対の有底筒状の収容部材から成っている。一対の収容部材の、円筒状の側面部は、互いに半径がわずかに異なっており、一対の収容部材は、小さい半径の収容部材の側面部開口部に、大きい半径の側面部開口部をかぶせ、互いの摩擦力で係止されている。
【０００３】
このようなカプセルは、出荷する際に例えばＰＴＰ包装されている。ＰＴＰ包装するときは、ＰＴＰ包装用の透明な容器の、複数のくぼみにカプセルを入れ、カプセルを構成する収容部材の向きを一定にして包装している。カプセルの向きを揃える方法は、例えばセンサにより一対の収容部材の色の違いから、カプセルの向きを検知して、そろったものを容器の窪み内に入れてアルミシートで密閉して包装するものである。また、カプセルは内容物を区別するために一方を透明にしたり着色されているものもある。
【０００４】
【発明が解決しようとする課題】
上記従来の技術の場合、カプセルの向きを識別するセンサ付きの包装装置は、高価であり、また光学的に向きを検知することは光の強さ等の調整が難しいものであった。さらに、従来のカプセルは、端部がほぼ同じ半球状であり、どのカプセルも同じ形状であるため、複数種類のカプセルを引用する場合等に違いが判別しにくいという問題があった。
【０００５】
この発明は上記従来の問題点に鑑みてなされたものであり、安価で簡単な装置により、向きを揃えてＰＴＰ包装等をすることができ、種々の識別にも適用可能なカプセルを提供することを目的とする。
【０００６】
【課題を解決するための手段】
この発明は、有底筒状の一対の収容部材が設けられ互いの開口部を対向させて嵌合し内側に内服薬が収容されるカプセルにおいて、上記一対の収容部材の底部である各端部付近が互いに異なる形状のカプセルである。
【０００７】
上記一対の収容部材の、一方の収容部材の端部には、上記収容部材の筒体の中心軸に対して交差する平面が形成され、他方の収容部材の端部は外側に膨らむ湾曲面である。また、上記一方の収容部材の端部には上記収容部材の筒体の中心軸に対してほぼ直交する平面が形成され、上記他方の収容部材の底面には上記収容部材の筒体の中心軸に対して斜めに交差する平面が形成されている。
【０００８】
またこの発明は、有底筒状の一対の収容部材が設けられ互いの開口部を対向させて嵌合し内側に内服薬が収容されるカプセルにおいて、上記一対の収容部材の端部の少なくとも一方には、上記収容部材の筒体の中心軸に対してほぼ直交する平面が形成されているカプセルである。
【０００９】
また、上記一対の収容部材の、少なくとも一方の収容部材の端部には、小形の突起部が形成されているものでも良い。
【００１０】
【発明の実施の形態】
以下、この発明の実施形態について図面に基づいて説明する。図１，図２は、この発明の第一実施形態を示すもので、この実施形態のカプセル１０は、適度な弾力性及び柔軟性を有し、動物性や植物性の材料で作られ、有し消化器の中で適した経過時間後に溶解するものである。カプセル１０は円筒形であり、長手方向に二分割され、有底筒状の第一収容部材１２と、第一収容部材１２よりもわずかに円筒形の径が大きい第二収容部材１４に分かれている。
【００１１】
第一収容部材１２は、円筒状の側面部１６を有し、側面部１６の一端部１６ａは開口され、他方の端部１６ｂは平坦な平底部１８が設けられて閉鎖されている。平底部１８は、円筒状の側面部１６の中心軸に対してほぼ直角な平面に形成されている。第二収容部材１４は、第一収容部材１２の側面部１６よりもわずかに径が大きい円筒状の側面部２０が形成されている。側面部２０の一方の端部２０ａは開口され、他方の端部２０ｂは、外側に膨らむ湾曲面であり半球状の丸底部２２が設けられて閉鎖されている。第二収容部材１４の端部２０ａ内側に、第一収容部材１２の端部１６ａが差し込まれ、互いの弾性力と摩擦力で係止される。
【００１２】
この実施形態のカプセル１０の使用方法は、内側に顆粒や粉体、液体の内服薬を入れて第一収容部材１２を第二収容部材１４に嵌合させて取りつける。そして、カプセル１０をＰＴＰ包装するときは、透明な樹脂で成形されたシート状の容器であって複数個の細長い凹部が形成されたＰＴＰ包装用容器が用いられる。まずこの容器の凹部に、カプセル１０を一粒ずつ入れる。このときカプセル１０の、第一収容部材１２と第二収容部材１４の向きを、機械的なセンサ等により平底部１８と丸底部２２の違いを検知して一定に揃える。そして、このＰＴＰ包装用容器にアルミシート等を貼って凹部を閉鎖し、包装する。
【００１３】
この実施形態のカプセル１０は、第一収容部材１２は丸底部２２であり、第二収容部材１４は平底部１８であり、互いに形状が異なるため、方向性の識別が容易となり、機械的にカプセル１０の向きを検知して揃えることができる。これにより、カプセル１０は、安価な装置で向きを確実に揃えることができ包装を安価にすることができる。方向性を識別するためのセンサ等の高価で精密な調整が必要な装置が不要であり、コストを抑えることができる。また、カプセル１０を飲む人は、中身の種類をカプセル１０の形状により区別することができ、目が不自由な人でも誤飲を防ぐことができる。従来はカプセル１０の色で区別をつけていたが、形状を変えることで目の不自由な人にもわかりやすくなる。
【００１４】
次にこの発明の第二実施形態について図３〜図５に基づいて説明する。この実施形態のカプセル２４は、上記の実施形態と同様の部材は同一の符号を付して説明を省略する。この実施形態のカプセル２４は、円筒形の側面部１６と平坦な平底部１８を有する第一収容部材１２と、側面部１６よりもわずかに径が大きい円筒状の側面部２０と半球状の丸底部２２を有する第二収容部材１４が設けられている。そして、第二収容部材１４の丸底部２２の中央外側には、小さい半球状の突起２６が設けられている。
【００１５】
この実施形態のカプセル２４は、上記実施の形態と同様の使用方法であり、同様の効果を有するものである。平底部１８と丸底部２２で形状が異なる上、さらに突起２６を形成することで、より方向性の識別が確実となる。
【００１６】
なお、この実施形態のカプセル２４は、図６，図７に示すように、半球状の小さい突起２６は、第一収容部材１２の平底部１８の中央外側に設けられても良い。また、図８，図９に示すように、突起２６が、第一収容部材１２の平底部１８と、第二収容部材１４の丸底部２２の、両方に設けられても良い。
【００１７】
次にこの発明の第三実施形態について図１０，図１１に基づいて説明する。この実施形態のカプセル２８は、上記の実施形態と同様の部材は同一の符号を付して説明を省略する。この実施形態のカプセル２８は、円筒形の側面部１６と平坦な平底部１８を有する第一収容部材１２と、側面部１６よりもわずかに径が大きい円筒状の側面部２０と半球状の丸底部２２を有する第二収容部材１４が設けられている。そして、第二収容部材１４の丸底部２２には、側面部２０の中心軸に対して直角以外の所定角度で斜めに交差する平面部３０が形成されている。
【００１８】
この実施形態のカプセル２８は、上記実施の形態と同様の使用方法であり、同様の効果を有するものである。さらに、平底部１８と丸底部２２で形状が異なる上、平面部３０を形成することで、より方向性の識別が確実となる。
【００１９】
次にこの発明の第四実施形態について図１２〜図１４に基づいて説明する。この実施形態のカプセル３２は、円筒形の側面部１６と平坦な平底部１８を有する第一収容部材１２と、側面部１６よりもわずかに径が大きい円筒状の側面部２０と半球状の丸底部２２を有する第二収容部材１４が設けられている。そして、丸底部２２には、側面部２０の中心軸に対して直角以外の所定角度で斜めに交差する平面部３０が形成されている。側面部３０のほぼ中心には、小さい半球状の突起３４が設けられている。
【００２０】
この実施形態のカプセル３２は、上記実施の形態と同様の使用方法であり、同様の効果を有するものである。平底部１８と丸底部２２で形状が異なる上、さらに丸底部２２に平面部３０と突起３４が形成されるため、より方向性の識別が確実となる。
【００２１】
なお、この実施形体のカプセル３２は、図１５，図１６に示すように、半球状の小さい突起３４は、第一収容部材１２の平底部１８の中央に設けられても良い。また、図１７，図1８に示すように、突起３４が、第一収容部材１２の平底部１８と、第二収容部材１４の丸底部２２に形成された平面部３０の、両方に設けられても良い。
【００２２】
次にこの発明の第五実施形態について図１９，図２０に基づいて説明する。この実施形態のカプセル３６は、上記の実施形態と同様の部材は同一の符号を付して説明を省略する。この実施形態のカプセル３６は、円筒形の側面部１６と平坦な平底部１８を有する第一収容部材１２が設けられている。第一収容部材１２の平底部１８の中心には、半球状の小さい突起３８が設けられている。そして、側面部１６よりもわずかに形が大きい円筒状の側面部４０を有する第二収容部材４２が設けられ、側面部４０の一方の端部４０ａは開口され、他方の端部４０ｂは第一収容部材１２と同様に、平坦な平底部４４が形成されている。
【００２３】
この実施形態のカプセル３６は、上記実施の形態と同様の使用方法であり、同様の効果を有するものである。平底部１８，４２は同じ形状であるが、第一収容部材１２の平底部１８に突起３８が形成されているため、方向性の識別が可能である。
【００２４】
なお、この実施形態のカプセル３６は、図２１，図２２に示すように、半球状の突起３８は一対の平底部１８，４２に各々設けられていても良い。
【００２５】
そして、この発明のカプセルは、着色されていても良く、また材料も適宜変更可能である。
【００２６】
【発明の効果】
この発明は、カプセルの形状が両端が同じ半球状ではないため、カプセルの方向性を機械的に検知して揃え、容易にＰＴＰ包装等をすることができる。方向性を検知する装置は、構造が簡単で安価なものを用いて確実に識別することができ、包装のコストを抑えることができる。また、カプセルの種類毎に形状を変えることが容易であり、カプセルの種類や薬の種類を触感により確実に認識することができる。
【図面の簡単な説明】
【図１】この発明の第一実施形態のカプセルを示す平面図（Ａ）、正面図（Ｂ）、右側面図（Ｃ）、底面図（Ｄ）である。
【図２】この実施形態のカプセルの縦断面図である。
【図３】この発明の第二実施形態のカプセルを示す平面図（Ａ）、正面図（Ｂ）、右側面図（Ｃ）、底面図（Ｄ）である。
【図４】この実施形態のカプセルの縦断面図である。
【図５】この実施形態のカプセルの斜視図である。
【図６】この実施形態のカプセルの変形例を示す平面図（Ａ）、正面図（Ｂ）、右側面図（Ｃ）、底面図（Ｄ）である。
【図７】この実施形態の変形例のカプセルの縦断面図である。
【図８】この実施形態のカプセルの他の変形例を示す平面図（Ａ）、正面図（Ｂ）、右側面図（Ｃ）、底面図（Ｄ）である。
【図９】この実施形態のカプセルの他の変形例の縦断面図である。
【図１０】この発明の第三実施形態のカプセルを示す平面図（Ａ）、正面図（Ｂ）、右側面図（Ｃ）、底面図（Ｄ）である。
【図１１】この実施形態のカプセルの縦断面図である。
【図１２】この発明の第四実施形態のカプセルを示す平面図（Ａ）、正面図（Ｂ）、右側面図（Ｃ）、底面図（Ｄ）である。
【図１３】この実施形態のカプセルの縦断面図である。
【図１４】この実施形態のカプセルの斜視図である。
【図１５】この発明の第実施形態のカプセルを示す平面図（Ａ）、正面図（Ｂ）、右側面図（Ｃ）、底面図（Ｄ）である。
【図１６】この実施形態のカプセルの縦断面図である。
【図１７】この実施形態のカプセルの変形例を示す平面図（Ａ）、正面図（Ｂ）、右側面図（Ｃ）、底面図（Ｄ）である。
【図１８】この実施形態のカプセルの変形例の縦断面図である。
【図１９】この発明の第五実施形態のカプセルを示す平面図（Ａ）、正面図（Ｂ）、右側面図（Ｃ）、底面図（Ｄ）である。
【図２０】この実施形態のカプセルの縦断面図である。
【図２１】この実施形態のカプセルの変形例を示す平面図（Ａ）、正面図（Ｂ）、右側面図（Ｃ）、底面図（Ｄ）である。
【図２２】この実施形態の変形例のカプセルの縦断面図である。
【符号の説明】
１０  カプセル
１２  第一収容部材
１４  第二収容部材
１６  側面部
１８  平底部
２０  側面部
【図１】
2004203796.tif 000003
【図２】
2004203796.tif 000004
【図３】
2004203796.tif 000005
【図４】
2004203796.tif 000006
【図５】
2004203796.tif 000007
【図６】
2004203796.tif 000008
【図７】
2004203796.tif 000009
【図８】
2004203796.tif 000010
【図９】
2004203796.tif 000011
【図１０】
2004203796.tif 000012
【図１１】
2004203796.tif 000013
【図１２】
2004203796.tif 000014
【図１３】
2004203796.tif 000015
【図１４】
2004203796.tif 000016
【図１５】
2004203796.tif 000017
【図１６】
2004203796.tif 000018
【図１７】
2004203796.tif 000019
【図１８】
2004203796.tif 000020
【図１９】
2004203796.tif 000021
【図２０】
2004203796.tif 000022
【図２１】
2004203796.tif 000023
【図２２】
2004203796.tif 000024